(57)【要約】【課題】誘導電界を利用する非接触通信を良好に行うことが可能な情報処理装置を提供すること。【解決手段】キーボード４は、ベースプレート３２と、ベースプレート３２に積層されてベースプレート３２を補強する導電性を有する補強部材１４とを有する。第１のアンテナモジュール１６は、誘導電界を生成するアンテナ電極１９と、アンテナ電極１９に電気的に接続されたグランド部２６とを有する。接続部１０は前記グランド部と補強部材１４とを電気的に接続する。  この構成によって、情報処理装置１において比較的大面積を有するキーボード４の補強部材１４をアンテナ電極１９のグランドとすることができ、通信の伝送効率をより向上させることが可能となる。【選択図】図４
2011138403.tif 000002
【特許請求の範囲】
【請求項１】
複数のキー部を支持するベースプレートと、前記ベースプレートに積層されて前記ベースプレートを補強する導電性を有する補強部材とを有するキーボード部と、
誘導電界を生成するアンテナ電極と、前記アンテナ電極に電気的に接続されたグランド部とを有する第１のアンテナモジュールと、
前記グランド部と前記補強部材とを電気的に接続する接続部と
を具備する情報処理装置。
【請求項２】
請求項１に記載の情報処理装置であって、
前記接続部は、前記第１のアンテナモジュールを支持する、導電性を有するアンテナモジュールベースプレートと、不要輻射を遮蔽するためのシールド板とで構成される
情報処理装置。
【請求項３】
請求項２に記載の情報処理装置であって、
放射電界を生成するアンテナコイルを有する第２のアンテナモジュールをさらに具備し、
前記第１のアンテナモジュールと前記第２のアンテナモジュールはアンテナユニットとして一体化されて前記アンテナモジュールベースプレート上に設けられ、
前記シールド板は、前記アンテナユニットに対向する開口と、前記開口の外周部に形成されるループ部を切断する切断部とを具備する
情報処理装置。
【請求項４】
請求項３に記載の情報処理装置であって、
前記第１のアンテナモジュールは、４．４８ＧＨｚを中心帯域として通信を行う
情報処理装置。
【請求項５】
複数のキー部を支持するベースプレートと、前記ベースプレートに積層されて前記キーボードからの液滴の進入を防止する導電性を有する防滴シートとを有するキーボード部と、
誘導電界を生成するアンテナ電極と、前記アンテナ電極に電気的に接続されたグランド部とを有する第１のアンテナモジュールと、
前記グランド部と前記補強部材とを電気的に接続する接続部と
を具備する情報処理装置。
【発明の詳細な説明】
【技術分野】
【０００１】
本発明は、非接触通信のためのアンテナモジュールが搭載された情報処理装置に関する。
【背景技術】
【０００２】
電子機器相互間の通信方式として、非接触通信の利用が進んでいる。非接触通信は通信線ではなく電界を用いて情報を授受する通信方式であり、特に数センチメートルから数メートルまでの比較的近距離を通信距離とするものである。非接触通信としては放射電界、即ち電波を利用する方式のものが多く用いられ、ＲＦＩＤ（Radio Frequency Identification）、あるいはデータ通信等に用いられている。
【０００３】
このような非接触通信のためのアンテナモジュールをパーソナルコンピュータ等の電子機器に搭載する際、電子機器に収容されている他の電子部品による放射電界への影響を考慮する必要がある。例えば特許文献１には、他の電子部品による放射電界への影響を低減するための構造を有する携帯型情報処理端末装置が記載されている。特許文献１に記載の装置では、放射電界を生成するためのアンテナコイルに金属板及び磁性板が積層され、他の電子部品の影響による共振周波数の変動が調整される。
【先行技術文献】
【特許文献】
【０００４】
【特許文献１】特開２００５−２１７９４６号公報（段落[００５６]、図９）
【発明の概要】
【発明が解決しようとする課題】
【０００５】
近年、放射電界ではなく誘導電界を利用する非接触通信が開発されている。この誘導電界を利用する非接触通信では、放射電界を利用するものに比べ通信速度が速く、大容量のデータ通信が可能となる。このような誘導電界を利用するためのアンテナモジュールを、放射電界を利用するためのアンテナモジュールと同様の態様で電子機器に搭載することは次のような理由から適当ではない。放射電界を利用するアンテナはグランドに接続されると共振周波数が変動するのに対し、誘導電解を利用するアンテナはグランドに接続されると電流増幅効果が得られるからである。
【０００６】
以上のような事情に鑑み、本発明の目的は、誘導電界を利用する非接触通信を良好に行うことが可能な情報処理装置を提供することにある。
【課題を解決するための手段】
【０００７】
上記目的を達成するため、本発明の一形態に係る情報処理装置は、キーボード部と、第１のアンテナモジュールと、接続部とを具備する。
上記キーボード部は、複数のキー部を支持するベースプレートと、上記ベースプレートに積層されて上記ベースプレートを補強する導電性を有する補強部材とを有する。
上記第１のアンテナモジュールは、誘導電界を生成するアンテナ電極と、上記アンテナ電極に電気的に接続されたグランド部とを有する。
上記接続部は、上記グランド部と上記補強部材とを電気的に接続する。
【０００８】
誘導電界を利用して通信を行う第１のアンテナモジュールでは、アンテナ電極がグランドと接続されることによりインピーダンス変換回路が形成され、アンテナ電極への入力電流に対し、対向するアンテナ電極の出力電流が増幅される。即ち、アンテナ電極とグランドとが接続されることによってより大きな誘導電界が誘起され、通信の伝送効率が向上する。上記構成によれば、情報処理装置において比較的大面積を有するキーボード部の補強部材をアンテナ電極のグランドとすることができ、通信の伝送効率をより向上させることが可能となる。
【０００９】
上記接続部は、上記第１のアンテナモジュールを支持する、導電性を有するアンテナモジュールベースプレートと、不要輻射を遮蔽するためのシールド板とで構成されてもよい。
【００１０】
この構成によれば、キーボード部の補強部材に加え、シールド板をグランドとすることができ、通信の伝送効率をより向上させることが可能となる。
【００１１】
上記情報処理装置は、放射電界を生成するアンテナコイルを有する第２のアンテナモジュールをさらに具備し、上記第１のアンテナモジュールと上記第２のアンテナモジュールはアンテナユニットとして一体化されて上記アンテナモジュールベースプレート上に設けられ、上記シールド板は、上記アンテナユニットに対向する開口と、上記開口の外周部に形成されるループ部を切断する切断部とを具備してもよい。
【００１２】
誘導電界を通信に利用する第１のアンテナモジュールと放射電界を通信に利用する第２のアンテナモジュールとの間では通信の干渉が発生しないため、第１のアンテナモジュールと第２のアンテナモジュールとをアンテナユニットとして一体化することが可能となる。シールド板には、アンテナ電極によって生成される誘導電界又はアンテナコイルによって生成される放射電界を遮蔽しないように、アンテナユニットに臨む開口が形成される。ここで、この開口によってシールド板がアンテナユニットの周囲を一周するループが形成される場合、アンテナコイルから放射される高周波の共振周波数が変動するが、上記構成によればループ部を切断する切断部によってループの形成が防止され、共振周波数の変動を防止することが可能となる。
【００１３】
上記第１のアンテナモジュールは、４．４８ＧＨｚを中心帯域として通信を行ってもよい。
【００１４】
この構成によれば、記第１のアンテナモジュールが高速、低消費電力による通信を行うことが可能となる。
【００１５】
上記目的を達成するため、本発明の別の形態に係る情報処理装置は、キーボード部と、第１のアンテナモジュールと、接続部とを具備する。
上記キーボード部は、複数のキー部を支持するベースプレートと、上記ベースプレートに積層されて上記キーボード部からの液滴の進入を防止する導電性を有する防滴シートとを有する。
上記第１のアンテナモジュールは、誘導電界を生成するアンテナ電極と、上記アンテナ電極に電気的に接続されたグランド部とを有する。
上記接続部は、上記グランド部と上記補強部材とを電気的に接続する。
【００１６】
この構成によれば、情報処理装置において比較的大面積を有するキーボード部の防滴シートをアンテナ電極のグランドとすることができ、通信の伝送効率をより向上させることが可能となる。
【発明の効果】
【００１７】
以上、本発明によれば、誘導電界を利用する非接触通信を良好に行うことが可能な情報処理装置を提供することが可能となる。
【図面の簡単な説明】
【００１８】
【図１】第１の実施形態に係る情報処理装置の外観を示す斜視図である。
【図２】同情報処理装置の外観を示す平面図である。
【図３】同情報処理装置の外観を示す平面図である。
【図４】同情報処理装置の本体部の分解斜視図である。
【図５】同情報処理装置の本体部の斜視図である。
【図６】同情報処理装置のキーボード部の斜視図である。
【図７】同情報処理装置のキーボード部の断面図である。
【図８】同情報処理装置のアンテナユニットを示す斜視図である。
【図９】同情報処理装置の第１のアンテナモジュールを示す斜視図である。
【図１０】同情報処理装置の第１のアンテナモジュールの回路図である。
【図１１】同情報処理装置の第２のアンテナモジュールを示す斜視図である。
【図１２】同情報処理装置の上部筐体シールド板を示す平面図である。
【図１３】同情報処理装置の各構成の接続関係を示す断面図である。
【発明を実施するための形態】
【００１９】
以下、図面を参照しながら、本発明の実施形態を説明する。
【００２０】
図１、図２及び図３は本発明の一実施形態に係る情報処理装置１の外観を示す図である。
情報処理装置１はノート型パーソナルコンピュータであり、本体部２とディスプレイ部３から構成されている。ディスプレイ部３は、本体部２に対して開閉可能に取り付けられている。
【００２１】
図１（Ａ）は情報処理装置１の、ディスプレイ部３を開いた状態の斜視図であり、図１（Ｂ）はディスプレイ部３を閉じた状態の斜視図である。図２（Ａ）はディスプレイ部３が開いた状態の情報処理装置１を表側からみた平面図、図２（Ｂ）は裏側からみた平面図である。図３（Ａ）はディスプレイ部３が閉じた状態の情報処理装置１を前側からみた平面図、図３（Ｂ）は後側からみた平面図、図３（Ｃ）は右側面からみた平面図、図３（Ｄ）は左側面からみた平面図である。
【００２２】
これらの図に示すように、本体部２にはキーボード部４と、パームレスト部３３とが設けられている。パームレスト部３３にはタッチパッド５と非接触通信領域２aが設けられている。非接触通信領域２ａは、後述する通信対象機器が接近すると、当該通信対象機器との間で非接触通信を行うことが可能な領域である。非接触通信領域２ａの詳細は後述する。ディスプレイ部３にはディスプレイ６が設けられている。
【００２３】
次に、本体部２の内部構造について説明する。
図４は、本体部２の分解斜視図である。これらの図に示すように、本体部２は、上部筐体部７と下部筐体部８とを有し、上部筐体部７と下部筐体部８とが組み合わされて本体部２の筐体が形成される。上部筐体部７は本体部２の、キーボード部４が設けられる側の部分であり、下部筐体部８はその反対側の部分である。上部筐体部７には、キーボード部４が取り付けられることによって閉塞される開口７ａが設けられている。
【００２４】
本体部２には、アンテナユニット９、上部筐体シールド板１０及び下部筐体シールド板３０が収容されている。上部筐体シールド板１０が接続部に相当する。また情報処理装置１には、典型的なコンピュータの構成要素である各種の電子部品、例えば、ＣＰＵ（Central Processing Unit）、ＧＰＵ(Graphics Processing Unit)、ＲＡＭ(Random Access Memory)などのメインメモリ、ＨＤＤ（Hard disk drive）、ＳＳＤ（Solid State Drive）などのストレージデバイス、ネットワーク通信用のデバイス等が収容されている。
【００２５】
図５は、上部筐体部７に対するアンテナユニット９及び上部筐体シールド板１０の組み込み位置を示す斜視図である。図５では、上部筐体シールド板１０及びアンテナユニット９は、上部筐体部７のパームレスト部３３の裏側に配置されている。したがって、パームレスト部３３において、内蔵されたアンテナユニット９に対応する領域が上述した非接触通信領域２ａとなる。
【００２６】
キーボード部４について説明する。
図６は、キーボード部４の一部を拡大した斜視図であり、図７はキーボード部４の一部の断面図である。これらの図に示すように、キーボード部４は、パネル１１、キートップ１２、キースイッチ機構１３、キーボードベース板金１４、導電性防滴シート１５、配線フィルム３１及びキーボードベースプレート３２を有する。キーボードベース板金１４が補強部材に相当する。キーボードベースプレート３２は、キーボード部４のベースプレートであって、キーボード部４を支持する部材である。キーボードベースプレート３２には、上部筐体シールド板１０がネジによって固定される。図４において３２ａは、当該ネジが挿通されるネジ孔である。
【００２７】
キーボードベースプレート３２の上には、導電性防滴シート１５、キーボードベース板金１４、配線フィルム３１が順次積層されている。配線フィルム３１の上には、キースイッチ機構１３を介してキートップ１２が配置されている。なお、キートップ１２は、パネル１１に設けられた開口を通して個々に露出している。パネル１１は、キートップ１２間の隙間を埋めるためのものである。キースイッチ機構１３及びキートップ１２がキー部に相当する。
【００２８】
キーボードベース板金１４は、キーボード部４の機械的強度を確保するための部材である。キーボードベース板金１４は、下部筐体シールド板３０を介して下部筐体部８にネジによって接続される。図４において、１４ａは、当該ネジが挿通されるネジ孔である。導電性防滴シート１５は、キートップ１２の隙間等からの液体の浸入を防止するためのシートである。
【００２９】
アンテナユニット９について説明する。
図８は、アンテナユニット９の斜視図である。図８に示すように、アンテナユニット９は、第１のアンテナモジュール１６、第２のアンテナモジュール１７及びアンテナモジュールベースプレート１８を有する。第１のアンテナモジュール１６及び第２のアンテナモジュール１７はアンテナモジュールベースプレート１８上に設けられている。第２のアンテナモジュールは中央部に開口が形成された平板状であり、当該開口に平板状の第１のアンテナモジュール１６が配置されている。アンテナモジュールベースプレート１８は、上部筐体シールド板１０にネジで固定される。図８において、１８ａは、当該ネジが挿通されるネジ孔である。
【００３０】
以下、第１のアンテナモジュール１６を概略的に説明する。第１のアンテナモジュール１６の通信対象機器は、第１のアンテナモジュール１６と同機構のアンテナモジュールを搭載した電子機器であり、例えば、デジタルカメラ、携帯音楽プレーヤー等である。第１のアンテナモジュール１６は、通信対象機器に搭載されている同機構のアンテナモジュールが接近すると、そのアンテナモジュールとの間で誘導電界を利用した非接触通信を行う。
【００３１】
図９は第１のアンテナモジュール１６の概略的な構成を示す模式図である。同図に示すように、第１のアンテナモジュール１６は、アンテナ電極１９、誘電体２０、第１スルーホール２１、第２スルーホール２２、信号線２３、共振スタブ２４、基板２５及びグランド２６を有する。また、第１のアンテナモジュール１６には図示しない制御回路が内蔵されている。基板２５の一面に信号線２３及び共振スタブ２４が形成され、基板２５の反対側の面にグランド２６が設けられている。共振スタブ２４上に誘電体２０が積層され、誘電体２０上にアンテナ電極１９が形成されている。第１スルーホール２１は誘電体２０を貫通して内部に導電材が充填されており、アンテナ電極１９と共振スタブ２４を接続している。なお、第１スルーホール２１は、アンテナ電極１９の中心に形成され、アンテナ電極１９に対して垂直方向に形成されている。第２スルーホール２２は基板２５を貫通して内部に導電材が充填されており、共振スタブ２４とグランド２６を接続している。
【００３２】
図１０は、第１のアンテナモジュール１６の回路図である。同図に示すように、信号線２３と共振スタブ２４とが接続されている。共振スタブ２４とアンテナ電極１９とは直列インダクタとして作用する第１スルーホール２１によって接続されている。また、共振スタブ２４とグランド２６とは並列インダクタとして作用する第２スルーホール２２によって接続されている。信号線２３、共振スタブ２４、第１スルーホール２１、アンテナ電極１９によって伝送路が形成されている。
【００３３】
第１のアンテナモジュール１６の動作について説明する。
第１のアンテナモジュール１６において、通信に利用される信号は、例えば４．４８ＧＨｚのＵＷＢ（Ultra Wide Band)信号である。ＵＷＢ信号を用いることにより、高速、低消費電力による非接触通信が可能となる。
【００３４】
第１のアンテナモジュールから通信対象機器に対してデータが送信される場合、情報処理装置１において、制御回路に送信用データが入力される。送信用データは制御回路においてＵＷＢ信号に変調され、信号線２３に供給される。
【００３５】
信号線２３に供給されたＵＷＢ信号は、共振スタブ２４及び第１スルーホール２１を経由してアンテナ電極１９に到達する。ここで、一般的に、無線アンテナによって形成される電界は、放射電界、誘導電界及び静電界である。第１のアンテナモジュール１６では、第１スルーホール２１がアンテナ電極１９に対して垂直に、かつ結合電極の中央に形成されているため、縦波である誘導電界が最大となり、横波である放射電界が抑制される。
【００３６】
通信対象機器のアンテナモジュール（以下、対向アンテナモジュール）が第１のアンテナモジュール１６に対向している場合について説明する。アンテナ電極１９によって形成される誘導電界によって、アンテナ電極１９と対向アンテナモジュールのアンテナ電極１９（以下、対向結合電極）との間で電界結合が形成され、ＵＷＢ信号が送受信される。ここで、第１スルーホール２１によって形成される直列インダクタによって、第１のアンテナモジュール１６の特性インピーダンスと対向アンテナモジュールの特性インピーダンスが整合され、インピーダンスの不整合による信号の反射が防止される。さらに、第２スルーホール２２によって形成される並列インダクタによって伝送路とグランド２６が接続されるため、インピーダンス変換回路が形成され、アンテナ電極１９への入力電流に対し、対向結合電極の出力電流が増幅される。即ち、伝送路とグランド２６の接続によってより大きな誘導電界が誘起され、伝送効率が向上する。
【００３７】
一方、対向アンテナモジュールが第１のアンテナモジュール１６に対向していない場合、第１のアンテナモジュール１６の特性インピーダンスと入力インピーダンスが一致しないため、ＵＷＢ信号は第１のアンテナモジュール１６内で反射され、外部に放射されない。このため、対向アンテナモジュールが存在しない場合の消費電力を抑えることが可能である。
【００３８】
情報処理装置１が通信対象機器からデータを受信した場合、信号線２３からＵＷＢ信号が出力されると、制御回路においてＵＷＢ信号から復調され、受信データが情報処理装置１に出力される。
【００３９】
次に、第２のアンテナモジュール１７を概略的に説明する。第２の第１のアンテナモジュール１６の通信対象機器は、アンテナコイルと、ＩＣ（Integrated Circuit）等の制御素子とを搭載し、あるいはさらにＥＥＰＲＯＭ（Electrically Erasable Read Only Memory）等の記憶素子を搭載した電子機器であり、例えばＩＣカード、ＩＣタグ等である。第２のアンテナモジュール１７は、通信対象機器に搭載されているアンテナコイルが接近すると、そのアンテナコイルとの間で放射電界を利用した非接触通信を行う。
【００４０】
図１１は第２のアンテナモジュール１７の概略的な構成を示す模式図である。同図に示すように基板２７上に導線が平面状に巻回され、アンテナコイル２８が形成されている。また、第２のアンテナモジュール１７には、図示しない制御回路が内蔵されている。アンテナコイル２８は、この制御回路に接続されている。
【００４１】
第２のアンテナモジュール１７の動作について説明する。
第２のアンテナモジュール１７において、通信に利用される信号は、例えば１３．５６ＭＨｚの高周波信号である。
【００４２】
第２のアンテナモジュールと通信対象機器の間で通信を行う場合、情報処理装置１において、制御回路により高周波信号が生成され、アンテナコイル２８に供給される。アンテナコイル２８を流れる高周波信号の電流により、放射電界が形成される。第２のアンテナモジュール１７に通信対象機器が対向していれば、通信対象機器のアンテナコイル（以下、対向アンテナコイル）において誘導電流が発生する。この誘導電流により通信対象機器に内蔵されている制御素子、記憶素子等が駆動される。制御素子によって高周波信号の高域成分が抽出され、復調された信号が書き込みコマンドである場合、復調されたデータが記憶素子に記憶される。
【００４３】
復調された信号が読み出しコマンドである場合、制御素子によって記憶素子に内蔵されているデータの中から読み出しコマンドに対応するデータが読み出され、高周波信号に変調される。対向アンテナコイルを流れる高周波信号の電流により、放射電界が形成される。アンテナコイル２８によって、放射電界から高周波信号である誘導電流が生成される。制御回路によって高周波信号が復調され、情報処理装置１にデータが出力される。
【００４４】
第１のアンテナモジュール１６と第２のアンテナモジュール１７は、上述のように通信に用いる周波数及び電界の種類が異なるため互いに干渉することがなく、近接して配置することが可能である。本実施形態では、第１のアンテナモジュール１６と第２のアンテナモジュール１７とがアンテナユニット９として一体的に形成されている。アンテナユニット９は、アンテナモジュールベースプレート１８が上部筐体シールド板１０にネジ止めされることによって上部筐体シールド板１０に固定される。第１のアンテナモジュール１６のグランド２６は、アンテナモジュールベースプレート１８に導通しており、グランド２６はアンテナモジュールベースプレート１８を介して上部筐体シールド板１０に接続される。
【００４５】
上部筐体シールド板１０について説明する。
図１２は上部筐体シールド板１０を示す図である。図１２（Ａ）は、上部筐体シールド板１０の平面図であり、図１２（Ｂ）は上部筐体シールド板１０及び上部筐体シールド板１０に取り付けられたアンテナユニット９の平面図である。
【００４６】
上部筐体シールド板１０は、平板状に形成された金属からなり、本体部２に収容されている電子部品から放出される不要輻射を遮蔽する電磁シールドである。図１２（Ａ）に示すように、上部筐体シールド板１０には、キーボード接続部１０ａ及びアンテナ開口部１０ｂが設けられている。
【００４７】
アンテナ開口部１０ｂは、図１２（Ｂ）に示すように、上部筐体部７側からみてアンテナユニット９の第２のアンテナモジュール１７と重複しない形状に形成されている。上部筐体シールド板１０にアンテナ開口部１０ｂが形成されることにより、上部筐体シールド板１０にはアンテナユニット９の周囲を不完全に囲む略ループ状の部分が形成される。ここで、上部筐体シールド板１０には、このループ状の部分がアンテナユニット９の周囲を一周しないように切断されている切断部１０ｃが形成されている。
【００４８】
キーボード接続部１０ａは、上部筐体シールド板１０から突出してキーボード部４の導電性防滴シート１５に当接するように形成され、キーボードベースプレート３２のネジ孔３２ａに接続されるためのネジ孔１０ｄが形成されている。また、上部筐体シールド板１０には、下部筐体部８に接続されるための５つのネジ孔１０ｅと、アンテナモジュールベースプレート１８が接続されるための２つのネジ孔１０ｆが設けられている。
【００４９】
下部筐体シールド板３０について説明する。
図４に示すように、下部筐体シールド板３０は、平板状に形成された金属からなり、本体部２に収容されている電子部品から放出される不要輻射を遮蔽する電磁シールドである。下部筐体シールド板３０には、上部筐体シールド板１０のネジ孔１０ｅにそれぞれ接続される５つのネジ孔３０ａと、キーボードベース板金１４の２つのネジ孔１４ａに接続される２つのネジ孔３０ｂが設けられている。
【００５０】
本体部２の各構成の接続関係について説明する。
図１３は、本体部２の接続関係を示す図である。図１３は、キーボード接続部１０ａの接続関係を示す図である。図１３（Ａ）は本体部２の断面図であり、図１３（Ｂ）はその拡大図である。図１３及び図４に示すように、各構成は、ネジによって螺合されることで固定される。なお、下部筐体部８には、下部筐体シールド板３０のネジ孔３０ａ及びネジ孔３０ｂに対応する位置に、図示しないネジ孔が設けられている。
【００５１】
アンテナユニット９は、アンテナモジュールベースプレート１８に設けられたネジ孔１８ａと上部筐体シールド板１０に設けられたネジ孔１０ｆが螺合されることで上部筐体シールド板１０に固定される。上述のように、第１のアンテナモジュール１６のグランド２６はアンテナモジュールベースプレート１８に導通しているため、グランド２６は、アンテナモジュールベースプレート１８を介して上部筐体シールド板１０に導通する。
【００５２】
アンテナユニット９が固定された上部筐体シールド板１０は、ネジ孔１０ｄとキーボードベースプレート３２のネジ孔３２ａが螺合されることで、キーボード部４に固定される。また、これにより、図１３（Ｂ）に示すようにキーボード接続部１０ａが弾性力により導電性防滴シート１５に当接する。これによりグランド２６は、アンテナモジュールベースプレート１８及び上部筐体シールド板１０を介してキーボードベース板金１４及び導電性防滴シート１５に導通する。
【００５３】
アンテナユニット９及び上部筐体シールド板１０が固定されたキーボード部４は、ネジ孔１４ａと下部筐体シールド板３０のネジ孔３０ｂとが螺合され、また、上部筐体シールド板１０のネジ孔１０ｅと下部筐体シールド板３０のネジ孔３０ａが螺合されることで下部筐体シールド板３０に固定される。この際、ネジは、下部筐体部８に設けられた図示しないネジ孔から挿入される。
【００５４】
このようにアンテナユニット９、上部筐体シールド板１０、キーボード部４及び下部筐体シールド板３０が連結されることで、第１のアンテナモジュール１６のグランド２６が上部筐体シールド板１０、キーボードベース板金１４、導電性防滴シート１５及び下部筐体シールド板３０と電気的に接続される。
【００５５】
上述のように、第１のアンテナモジュール１６では、伝送路が並列インダクタによってグランド２６と接続されることによりインピーダンス変換回路が形成され、アンテナ電極１９への入力電流に対し、対向結合電極の出力電流が増幅される。即ち、伝送路とグランド２６の接続によってより大きな誘導電界が誘起され、伝送効率が向上する。本実施形態に係る情報処理装置１では、第１のアンテナモジュール１６はキーボードベース板金１４及び導電性防滴シート１５をもグランドとなることによってグランド面積が増大し、伝送効率をより向上させることが可能となる。
【００５６】
さらに、第２のアンテナモジュール１７では、放射電界を利用してデータを送受信する。ここで、第２のアンテナモジュールの周辺に導電体が存在すると、放射電界によって導電体において渦電流が発生し、アンテナコイル２８と導電体との間のインダクタンスが小さくなるため、アンテナコイル２８の共振周波数が変動する。これは、特に、導電体がアンテナコイル２８の周囲においてループを形成している場合に顕著となる。これに対し、本実施形態では、切断部１０ｃによって上部筐体シールド板１０がループを形成することが防止されているため、上部筐体シールド板１０に起因する第２のアンテナモジュール１７の共振周波数の変動を防止することが可能である。
【００５７】
本発明は上述の実施形態にのみ限定されるものではなく、本発明の要旨を逸脱しない範囲内において変更され得る。
【００５８】
情報処理装置１は、第１のアンテナモジュール１６と第２のアンテナモジュール１７とを有するものとしたがこれに限られず、第１のアンテナモジュール１６のみを有するものとすることも可能である。この場合、上部筐体シールド板１０に切断部１０ｃが形成される必要はない。
【００５９】
上部筐体シールド板１０のキーボード接続部１０ａは導電性防滴シート１５に当接するものとしたが、キーボードベース板金１４に当接するものとすることも可能である。このようにしても、キーボードベース板金１４及び導電性防滴シート１５が第１のアンテナモジュール１６のグランドとして機能する。
【００６０】
上部筐体シールド板１０のキーボード接続部１０ａは弾性により導電性防滴シート１５に当接するものとしたが、これに限られない。例えば、キーボード接続部１０ａがキーボードベース板金１４に螺合されるものとすることも可能である。
【符号の説明】
【００６１】
１…情報処理装置
４…キーボード部
９…アンテナユニット
１０…上部筐体シールド板
１４…キーボードベース板金
１５…導電性防滴シート
１６…第１のアンテナモジュール
１７…第２のアンテナモジュール
１８…アンテナモジュールベースプレート
１９…アンテナ電極
２６…グランド
２８…アンテナコイル
３２…キーボードベースプレート
【図１】
2011138403.tif 000003
【図２】
2011138403.tif 000004
【図３】
2011138403.tif 000005
【図４】
2011138403.tif 000006
【図５】
2011138403.tif 000007
【図６】
2011138403.tif 000008
【図７】
2011138403.tif 000009
【図８】
2011138403.tif 000010
【図９】
2011138403.tif 000011
【図１０】
2011138403.tif 000012
【図１１】
2011138403.tif 000013
【図１２】
2011138403.tif 000014
【図１３】
2011138403.tif 000015